(57)【特許請求の範囲】
【請求項１】
便器の排水配管に取り付けられた排水ソケットを切断した際に、該排水ソケットの下部側の前記排水配管に接着されていない部分が落下することを防止するための排水ソケット支持具であって、
作業者が把持する把持部と、
該把持部に連結されていて拡縮可能な支持部と、を有し、
前記支持部は、前記排水ソケットに上方から挿通されて、縮径状態で前記排水ソケットを通過すると拡径して前記排水ソケットを下方から支持することを特徴とする排水ソケット支持具。
【請求項２】
前記把持部は、前記排水ソケットに固定可能であることを特徴とする請求項１に記載の排水ソケット支持具。
【請求項３】
前記支持部は、拡径すると前記排水配管との摩擦によって該排水配管に係止されることを特徴とする請求項１又は２に記載の排水ソケット支持具。
【請求項４】
前記便器の梱包材で形成されていることを特徴とする請求項１乃至３のいずれか一項に記載の排水ソケット支持具。
【発明の詳細な説明】
【技術分野】
【０００１】
本発明は、便器の排水配管に取り付けられた排水ソケットを切断した際に、例えばオリフィス部などの排水ソケットの下部側の排水配管と接着されていない部分が落下することを防止するための排水ソケット支持具に関する。
【背景技術】
【０００２】
従来、便器から汚物を排出するための流水にサイホンを起動可能なオリフィス部（絞り部）を有する排水ソケットが知られている（例えば、特許文献１参照）。このような排水ソケットは、床に固定されるとともに排水配管に接着されていて、排水配管の内側で排水ソケットとの接着部分よりも下側にオリフィス部が配置されている。
排水配管には、数種類の径や肉厚の異なる規格の硬質塩ビ管のうちのいずれかが使用されている。このため、排水ソケットは、これらの規格の異なる排水配管のいずれにも接着可能な形状に形成されており、排水配管の規格ごとに接着される高さや接着される部分が異なっている。排水ソケットは、排水配管の外側または内側と接着される。
また、これに伴い排水配管は、排水ソケットを床面に固定するために、排水ソケットを設定された高さで接着できるように規格ごとに床面からの立ち上がり寸法が異なっている。
【０００３】
リフォームなどにより便器を交換する際には、既存便器の排水ソケットを撤去するために排水ソケットや排水配管を切断することがある。このとき、排水ソケットや排水配管を、排水ソケットと排水配管との接着部分に対して適切な高さで切断しないと、排水ソケットの下部側の排水配管と接着されていない部分、具体的にはオリフィス部などが落下してしまうことがある。
このため、排水配管の規格から排水ソケットと排水配管との接着部分を確認する必要がある。しかしながら、排水ソケットが排水配管を覆っており、外部から排水配管の規格を確認することができない。このため、排水ソケットの外周部分（排水配管よりも外側の部分）のみを切断して撤去し排水配管の規格を確認している。
また、排水配管の規格を確認せずに、排水ソケットの下方にトイレットペーパーなどの紙を詰めて、オリフィス部などが落下しないようにしてから排水ソケットを切断することも行われている。
【先行技術文献】
【特許文献】
【０００４】
【特許文献１】特開２００９−５７６９４号公報
【発明の概要】
【発明が解決しようとする課題】
【０００５】
しかしながら、排水配管の規格を確認するために排水ソケットの外周部分のみを切断する工程や、オリフィス部などの下方に紙を詰める工程は手間がかかるとともに、排水配管の規格によっては不要な場合もある。このため、排水ソケットの撤去に時間がかかるという問題がある。
【０００６】
そこで、本発明は、排水ソケットの撤去を容易にすることができる排水ソケット支持具を提供することを目的とする。
【課題を解決するための手段】
【０００７】
上記目的を達成するため、本発明に係る排水ソケット支持具は、便器の排水配管に取り付けられた排水ソケットを切断した際に、該排水ソケットの下部側の前記排水配管に接着されていない部分が落下することを防止するための排水ソケット支持具であって、作業者が把持する把持部と、該把持部に連結されていて拡縮可能な支持部と、を有し、前記支持部は、前記排水ソケットに上方から挿通されて、縮径状態で前記排水ソケットを通過すると拡径して前記排水ソケットを下方から支持することを特徴とする。
【０００８】
本発明では、作業者が把持部を把持して、支持部を縮径状態で排水ソケットを通過させると、支持部が拡径して排水ソケットを下方から支持するため、排水ソケットを切断した際に、排水ソケットの下部側の排水配管と接着されていない部分と、この部分の上方の排水ソケットの排水配管と接着されている部分とが切断された場合でも、排水ソケットの下部側の排水配管と接着されていない部分が落下することを防止できる。
【０００９】
また、本発明に係る排水ソケット支持具では、前記把持部は、前記排水ソケットに固定可能である構成としてもよい。
このような構成とすることにより、支持部を排水ソケットの下方に配置した後に把持部を排水ソケットに固定すれば、作業者が把持部を把持しなくても、支持部を排水ソケットの下方に配置して排水ソケットを支持する状態とすることができる。このため、作業者は排水ソケットを切断する際に把持部を把持する必要がなく、効率よく作業することができる。
【００１０】
また、本発明に係る排水ソケット支持具では、前記支持部は、拡径すると前記排水配管との摩擦によって該排水配管に係止される構成としてもよい。
このような構成とすることにより、支持部が排水配管に係止されると、作業者が把持部を把持したり、把持部を排水ソケットに固定したりしなくても、支持部を排水ソケットの下方に配置して排水ソケットを支持する状態とすることができる。このため、排水ソケットとともに把持部を切断しても、排水ソケットの下部側の排水配管と接着されていない部分が落下しないため、把持部を切断しないように留意しながら排水ソケットを切断する必要がなく、効率よく作業を行うことができる。
【００１１】
また、本発明に係る排水ソケット支持具は、前記便器の梱包材で形成されていることが好ましい。
このような構成とすることにより、排水ソケット支持具として専用の治具を準備する必要がないため、排水ソケット支持具の準備にかかる労力を軽減できるとともに、排水ソケット支持具を安価に提供することができる。
【発明の効果】
【００１２】
本発明によれば、排水ソケットを切断した際に、排水ソケットの下部側の排水配管と接着されていない部分が落下することを防止できるため、排水ソケットの撤去を容易にすることができる。
【図面の簡単な説明】
【００１３】
【図１】（ａ）本発明の第１実施形態による排水ソケット支持具が排水ソケットに挿入される様子を示す図、（ｂ）排水ソケット支持具がオリフィス部を支持する様子を示す図である。
【図２】（ａ）は排水ソケットを説明する斜視図、（ｂ）は（ａ）のＡ−Ａ線断面図である。
【図３】第１姿勢の支持部を説明する図である。
【図４】（ａ）本発明の第２実施形態による排水ソケット支持具が排水ソケットに挿入される様子を示す図、（ｂ）排水ソケット支持具がオリフィス部を支持する様子を示す図である。
【図５】（ａ）本発明の第３実施形態による排水ソケット支持具が排水ソケットに挿入される様子を示す図、（ｂ）排水ソケット支持具がオリフィス部を支持する様子を示す図、（ｃ）は支持部が拡径状態の排水ソケット支持具の斜視図である。
【発明を実施するための形態】
【００１４】
（第１実施形態）
以下、本発明の第１実施形態による排水ソケット支持具について、図１乃至図３に基づいて説明する。
図１に示すように、第１実施形態による排水ソケット支持具１Ａは、便器１１（図２（ａ）参照）のリフォームを行う際に使用され、既存の便器１１の排水ソケット１２切断する際に使用される。排水ソケット１２は、便器１１の排水配管１３に接続されている。
【００１５】
図２に示すように、排水配管１３は、床面１５から上側に突出しており、本実施形態では、上端部１３ａが床面１５よりも約４０ｍｍ上側となるように配管されている。
排水ソケット１２は、排水配管１３に接着されていて、下部側に便器１１から汚物を排出する際に流水にサイホンを起動可能なオリフィス部１２１が設けられている。
排水ソケット１２は、オリフィス部１２１よりも上側の部分が、排水配管１３の床面１５よりも上側の部分に直接接着されている。なお、オリフィス部１２１は、排水配管１３に直接接着されておらず、排水ソケット１２の排水配管１３への接着部分１２２を介して排水配管１３に固定されている。
【００１６】
このため、排水ソケット１２および排水配管１３を床面１５の高さ（図２（ｂ）に示す切断線Ｌの高さ）でそれぞれ上下に切断すると、排水ソケット１２は、オリフィス部１２１と、排水配管１３に接着された部分とが分断され、オリフィス部１２１が排水配管１３に固定されていない状態となり、落下することがある。本実施形態による排水ソケット支持具１Ａは、排水ソケット１２および排水配管１３を床面１５の高さでそれぞれ上下に切断する際に、オリフィス部１２１の落下を防止するために使用されている。
【００１７】
図１に戻り、排水ソケット支持具１Ａは、作業者が把持する把持部２と、把持部２と連結されオリフィス部１２１を下方から支持する支持部３Ａと、を有している。
把持部２は、排水ソケット１２に挿通可能であるとともに排水ソケット１２の高さ寸法よりも長い寸法の長尺の板状に形成されている。本実施形態では、新設する便器１１（図２（ａ）参照）を梱包していた梱包材の一部の段ボールで形成されている。把持部２は、その長さ方向の一方の端部２ａ近傍が作業者に把持され、他方の端部２ｂ近傍に支持部３Ａが連結されている。把持部２は、一方の端部２ａが上側となり、他方の端部２ｂが下側となる向きで使用される。
【００１８】
支持部３Ａは、板面が略長方形状となる板状に形成されている。本実施形態では、新設する便器１１を梱包していた梱包材の一部の段ボールで形成されている。
支持部３Ａの板面の形状となる略長方形は、長辺がオリフィス部１２１の外径よりも大きく、短辺がオリフィス部１２１の内径よりも小さい寸法となっている。
ここで、支持部３Ａの縁部のうち一対の長辺に対応する一対の縁部のうちの一方を第１縁部３ａ、他方を第２縁部３ｂとし、一対の短辺に相当する一対の縁部のうちの一方を第３縁部３ｃ、他方を第４縁部３ｄとする。また、支持部３Ａに対して、第１縁部３ａおよび第２縁部３ｂが延びる方向を長辺方向とし、第３縁部３ｃおよび第４縁部３ｄが延びる方向を短辺方向とする。
【００１９】
支持部３Ａは、把持部２の長さ方向の他方の端部２ｂに、把持部２の長さ方向に直交する軸まわりに回転可能に連結されている。
支持部３Ａは、把持部２への連結部３０が長辺方向の中央部よりも第３縁部３ｃ寄りに配置されている。このため、把持部２が作業者に把持され、支持部３Ａが回転可能な状態となると、図３に示すように、重力によって支持部３Ａの第４縁部３ｄ側が第３縁部３ｃ側よりも下側に配置され、第１縁部３ａおよび第２縁部３ｂが水平に対して斜め方向に延びる向きに配置される。このとき、第１縁部３ａが上側となり、第２縁部３ｂが下側に配置されている。
【００２０】
ここで、支持部３Ａの姿勢のうち、図３に示すような重力によって第４縁部３ｄ側が第３縁部３ｃ側よりも下側となる姿勢を第１姿勢３１とする。また、支持部３Ａの姿勢のうち、図１（ａ）に示すような第４縁部３ｄ側が第３縁部３ｃ側よりも上側となる姿勢を第２姿勢３２とし、図１（ｂ）に示すような第３縁部３ｃと第４縁部３ｄが同じ高さとなり、第１縁部３ａおよび第２縁部３ｂが水平方向に延びる姿勢を第３姿勢３３とする。なお、第２姿勢３２には、第１縁部３ａおよび第２縁部３ｂが水平に対して斜め方向に延びる向きとなる姿勢、および第１縁部３ａおよび第２縁部３ｂが鉛直方向に延びる向きとなる姿勢を含むものとする。
第３姿勢３３の支持部３Ａは、第２姿勢３２の支持部３Ａと比べると上下方向から見た形状が大きくなる。このため、本実施形態では、支持部３Ａは、第２姿勢３２となると縮径状態となり、第３姿勢３３となると拡径状態となる。
【００２１】
そして、支持部３Ａは、縮径状態の第２姿勢３２となると排水ソケット１２を通過可能となり、拡径状態の第３姿勢３３となると排水ソケット１２を通過できない寸法に形成されている。また、支持部３Ａは、オリフィス部１２１の下方の排水配管１３の内部において第２姿勢３２から第１姿勢３１となる回動および第１姿勢３１から第３姿勢３３となる回動が可能な寸法に形成されている。
【００２２】
続いて、排水ソケット支持具１Ａを使用した排水ソケット１２および排水配管１３の切断方法について説明する。
まず、排水ソケット支持具１Ａの把持部２を把持し、支持部３Ａを図１（ａ）に示すような第２姿勢３２にして排水ソケット１２の内部に挿入する。そして、支持部３Ａを排水ソケット１２の内面に沿って下方へ移動させ、オリフィス部１２１を通過させる。
オリフィス部１２１を通過してオリフィス部１２１の下方に配置された支持部３Ａは、図３に示すように重力によって連結部３０を中心に回動し第１姿勢３１となる。
【００２３】
続いて、支持部３Ａが第１姿勢３１となった状態で把持部２を引き上げる。このようにすると、まず、支持部３Ａの第３縁部３ｃと第１縁部３ａとの第１角部３ｅ近傍がオリフィス部１２１の下端部１２１ａと当接する。把持部２を更に引き上げると、支持部３Ａは、第１角部３ｅ近傍がオリフィス部１２１の下端部１２１ａに当接したまま第４縁部３ｄが上側に移動するように回動し、図１（ｂ）に示すような第３姿勢３３となる。そして、引き上げられて第３姿勢３３となった支持部３Ａは、第１縁部３ａがオリフィス部１２１の下端部１２１ａと当接する。
なお、上述したように第３姿勢３３の支持部３Ａは、オリフィス部１２１を通過できない形状であるため、把持部２を更に引き上げようとしてもオリフィス部１２１の下端部１２１ａに当接してオリフィス部１２１の内部に入り込まない。
【００２４】
続いて、把持部２の一方の端部２ａ側を折り曲げて排水ソケット１２に引っ掛けるようにして固定する。これにより、支持部３Ａの位置が固定される。
そして、この状態で排水ソケット１２および排水配管１３を床面１５の高さで切断する。
上述したように、排水ソケット１２および排水配管１３を床面１５の高さで切断すると、オリフィス部１２１が排水配管１３に固定されていない状態となるが、支持部３Ａがオリフィス部１２１を下方から当接して支持しているため、オリフィス部１２１が落下することが防止される。  
そして、切断された床面１５よりも上側の排水ソケット１２および排水配管１３を撤去するとともに、把持部２を引き上げて支持部３Ａとともにオリフィス部１２１を床面１５よりも下側の排水配管１３から取り出し撤去する。
【００２５】
次に、上述した第１実施形態による排水ソケット支持具１Ａの作用・効果について図面を用いて説明する。
上述した第１実施形態による排水ソケット支持具１Ａでは、支持部３Ａは第２姿勢３２となるとオリフィス部１２１を通過可能で、オリフィス部１２１の下方で第１姿勢３１となってから第３姿勢３３となるとオリフィス部１２１を下方から支持可能となる。このため、排水ソケット１２および排水配管１３を切断して、オリフィス部１２１と、排水ソケット１２の排水配管１３への接着部分１２２とが分断されて、オリフィス部１２１が排水配管１３に固定されていない状態となっても、オリフィス部１２１が落下することを防止できる。
【００２６】
また、把持部２は、排水ソケット１２に固定可能であることにより、作業者が把持部２を把持していない状態でも支持部３Ａをオリフィス部１２１の下方に配置することができる。このため、作業者は排水ソケット１２および排水配管１３を切断する際に把持部２を把持する必要がなく、作業が行いやすい。
【００２７】
また、排水ソケット支持具１Ａは、便器１１の梱包材で形成されていることにより、排水ソケット支持具１Ａとして専用の治具を準備する必要がないため、排水ソケット支持具１Ａの準備にかかる労力を軽減できるとともに、排水ソケット支持具１Ａを安価に提供することができる。
【００２８】
（第２実施形態）
次に、他の実施形態について、添付図面に基づいて説明するが、上述の第１実施形態と同一又は同様な部材、部分には同一の符号を用いて説明を省略し、第１実施形態と異なる構成について説明する。
図４に示すように、第２実施形態による排水ソケット支持具１Ｂは、支持部３Ｂが第１実施形態のように把持部２に対して回転可能に連結された構成はなく、把持部２と一体に形成されている。支持部３Ｂは、板面が第１実施形態の支持部３Ａの板面と略同じ略長方形状に形成され、長辺方向の略中央部が把持部２の他方の端部２ｂと連続している。支持部３Ｂは、その長辺方向の寸法が把持部２の幅寸法（長さ方向に直交する方向の寸法）よりも大きく形成されている。
把持部２および支持部３Ｂは、例えば梱包材などの段ボールで形成されている。
【００２９】
支持部３Ｂは、図４（ａ）に示すように長辺方向の両端部が折り曲げられると縮径状態となり、排水ソケット１２を通過可能な形状となる。また、支持部３Ｂは、図４（ｂ）に示すように長辺方向の両端部が折り曲げられた状態から段ボールの弾性により広がると拡径状態となり、排水ソケット１２を通過できない形状となる。
【００３０】
続いて、排水ソケット支持具１Ｂを使用した排水ソケット１２および排水配管１３の切断方法について説明する。
まず、排水ソケット支持具１Ｂの支持部３Ｂの長辺方向の両端部を上側（把持部２側）に折り曲げて、縮径状態にする。そして、把持部２を把持して縮径状態の支持部３Ｂを排水ソケット１２の内部に挿入する。排水ソケット１２を通過する支持部３Ｂは、排水ソケット１２の内周面と当接することで縮径状態が維持される。
続いて、支持部３Ｂを排水ソケット１２の内面に沿って下方へ移動させ、オリフィス部１２１を通過させて、オリフィス部１２１の下方に配置する。支持部３Ｂは、オリフィス部１２１の下方に配置されると、排水ソケット１２の内周面のように当接するものが無いため、折り曲げられた部分が弾性によって広がり拡径状態となる。
【００３１】
続いて、把持部２を引き上げて、拡径状態となった支持部３Ｂをオリフィス部１２１の下端部１２１ａと当接させる。
なお、拡径状態の支持部３Ｂは、オリフィス部１２１を通過できないため、把持部２を更に引き上げてもオリフィス部１２１の下端部１２１ａに当接してオリフィス部１２１の内部に入り込むことがない。
そして、第１実施形態と同様に把持部２を排水ソケット１２に固定し、排水ソケット１２および排水配管１３を切断する。そして、床面１５よりも上側の排水ソケット１２および排水配管１３を撤去するとともに、把持部２を把持してオリフィス部１２１とともに支持部３Ｂを引き上げてオリフィス部１２１を撤去する。
【００３２】
第２実施形態による排水ソケット支持具１Ｂは、第１実施形態による排水ソケット支持具１Ａと同様の効果を奏する。
また、第２実施形態による排水ソケット支持具１Ｂは、第１実施形態による排水ソケット支持具１Ａと比べて、支持部３Ｂを把持部２に回転可能に連結させる必要がないとともに、把持部２と支持部３Ｂとが一体に形成されているため、排水ソケット支持具１Ｂをより容易に製作することができる。
【００３３】
（第３実施形態）
図５に示すように、第３実施形態による排水ソケット支持具１Ｃは、把持部２および支持部３Ｃとなる板面が長尺の略長方形状となる板部５と、板部５のうちの把持部２となる部分に固定され支持部３Ｃとなる部分が通過可能な筒状部６と、を有している。板部５および筒状部６は、例えば梱包材などの段ボールで形成されている。
【００３４】
板部５は、長さ方向の一方側が把持部２を形成し、他方側が支持部３Ｃを形成している。把持部２と支持部３Ｃとの境界部には、折り曲げ可能な第１折り曲げ線５１が形成されている。第１折り曲げ線５１は、板部５に形成された溝部や切り込み部などで構成されている。
把持部２は、その長さ寸法が排水ソケット１２の高さ寸法よりも大きい寸法に形成されている。
筒状部６は、軸方向の一方の端部６ａが第１折り曲げ線５１と略重なる位置に配置されるように把持部２に固定されている。把持部２には、筒状部６近傍に板面を貫通し、作業者が指を掛けることができる孔部２１（図５（ｃ）参照）が形成されている。
【００３５】
板部５には、支持部３Ｃを構成する部分に長さ方向に間隔をあけて第２〜第４折り曲げ線５２〜５４が形成されている。第２〜第４折り曲げ線５２〜５４は、第１折り曲げ線５１と同様の板部５に形成された溝部や切り込み部などで構成されている。
ここで、第２〜第４折り曲げ線５２〜５４は、第１折り曲げ線５１に隣接する側から離間する側に向かって、第２折り曲げ線５２、第３折り曲げ線５３、第４折り曲げ線５４の順に配置されているものとする。
また、板部５のうち第１折り曲げ線５１と第２折り曲げ線５２との間の部分を第１支持板部５５とし、第２折り曲げ線５２と第３折り曲げ線５３との間の部分を第２支持板部５６とし、第３折り曲げ線５３と第４折り曲げ線５４との間の部分を第３支持板部５７とし、第４折り曲げ線５４よりも端部側を第４支持板部５８とする。
【００３６】
第１支持板部５５と第３支持板部５７とは、略等しい長さ寸法に形成されている。
第２支持板部５６は、長さ寸法が第１支持板部５５および第３支持板部５７の長さ寸法よりも大きいとともに、排水配管１３の内径よりも大きくなるように形成されている。
このような板部５は、排水ソケット１２に挿通される際には、図５（ａ）に示すような第３折り曲げ線５３のみで折り曲げられていて、第４支持板部５８が筒状部６に挿通されている。ここで、板部５の面のうち上記のように折り曲げられた際に内側となる面を内面とし、外側となる面を外面とする。
第４支持板部５８は、筒状部６内を軸方向に移動可能な形状に形成されている。
【００３７】
続いて、排水ソケット支持具１Ｃを使用した排水ソケット１２および排水配管１３の切断方法について説明する。
まず、支持部３Ｃを図５（ａ）に示すような第３折り曲げ線５３のみで折り曲げられた状態（縮径状態）とし、把持部２を把持して支持部３Ｃを排水ソケット１２の内部に挿入する。続いて、支持部３Ｃの筒状部６よりも下側の部分を排水ソケット１２の内面に沿って下方へ移動させ、オリフィス部１２１を通過させて、オリフィス部１２１の下方に配置する。
続いて、筒状部６の位置を変えずに、第４支持板部５８の筒状部６よりも上側の部分を把持して第４支持板部５８を引き上げる。第４支持板部５８が引き上げられると、第３支持板部５７が引き上げられる。このとき、第３折り曲げ線５３が上側に移動し、板部５が第２折り曲げ線５２において第１支持板部５５の内面と第２支持板部５６の内面とが近付くように折り曲げられる。
第４支持板部５８をさらに引き上げると、図５（ａ）、（ｂ）に示すような板部５が第４折り曲げ線５４において第３支持板部５７の外面と第４支持板部５８の外面とが近付くように折り曲げられるとともに、第１折り曲げ線５４において把持部２の外面と第１支持板部５５の外面とが近付くように折り曲げられる。
【００３８】
このとき、支持部３Ｃは、第１支持板部５５および第３支持板部５７の外面が内面よりも上側となってオリフィス部１２１の下端部に当接し、オリフィス部１２１を下方から支持可能となる。また、支持部３Ｃは、第２支持板部５６の板面が略水平面となる状態（拡径状態）となり、第１支持板部５５および第２支持板部５６の第２折り曲げ線５２近傍と、第２支持板部５６および第３支持板部５７の第３折り曲げ線５３近傍とがそれぞれ排水配管１３の内面に押し付けられる。このとき排水配管１３と排水配管１３に押し付けられた支持部３Ｃとの摩擦によって、支持部３Ｃが排水配管１３に係止される。
【００３９】
続いて、排水配管１３に係止された支持部３Ｃよってオリフィス部１２１が支持された状態で、排水ソケット１２および排水配管１３を床面１５の高さで切断する。なお、第３実施形態では、支持部３Ｃが排水配管１３に係止されるため、把持部２を排水ソケット１２に固定しないとともに、排水ソケット１２および排水配管１３を切断する際に把持部２も切断する構成としている。なお、把持部２は、孔部２１よりも上側の位置（図５（ｃ）に示す切断線Ｌの位置）で切断される。
続いて、排水ソケット１２および床面１５よりも上側の排水配管１３を撤去するとともに、把持部２に形成された孔部２１に手を掛けて支持部３Ｃを引き上げ、オリフィス部１２１を取り出して撤去する。
【００４０】
第３実施形態による排水ソケット支持具１Ｃでは、支持部３Ｃは、拡径すると排水配管１３との摩擦によって排水配管１３に係止されることにより、把持部２を把持したり、排水ソケット１２に固定したりしなくても、支持部３Ｃをオリフィス部１２１の下方でオリフィス部１２１を支持可能な状態に維持することができる。このため、排水ソケット１２および排水配管１３とともに把持部２を切断した場合でも支持部３Ｃがオリフィス部１２１を支持することができる。
【００４１】
以上、本発明による排水ソケット支持具の実施形態について説明したが、本発明は上記の実施形態に限定されるものではなく、その趣旨を逸脱しない範囲で適宜変更可能である。
例えば、上記の第１、２実施形態では、排水ソケット支持具１Ａ，１Ｂは、排水ソケット１２に固定可能であるが、排水ソケット１２以外の部材に固定可能であってもよいし、排水ソケット１２などに固定されずに、排水ソケット１２および排水配管１３を切断する際に作業者に把持されていてもよい。  
また、上記の実施形態では、排水ソケット支持具１Ａ〜１Ｃは、便器１１の梱包材の一部で形成されているが、梱包材とは別に設けられていてもよい。
また、上記の実施形態では、排水ソケット支持具１Ａ〜１Ｃは、段ボールで形成されているが、段ボール以外の材料で形成されていてもよい。また、把持部２と支持部３Ａ〜３Ｃとが異なる材料で形成されていてもよい。
また、上記の第１、第２実施形態では、支持部３Ａ，３Ｂは板面が略長方形状に形成されているが、他の形状に形成されていてもよいし、板状以外の形状に形成されていてもよい。
【００４２】
また、上記の第３実施形態では、把持部２に作業者が手を掛けるための孔部２１が形成されているが、把持部２に孔部２１が形成されていなくてもよいし、孔部２１に代わって作業者が把持可能な突出部などが形成されていてもよい。また、支持部３Ｃの例えば第４支持板部５８に作業者が手を掛けることができる孔部が形成されていてもよい。
また、上記の第３実施形態では、把持部２は、排水ソケット１２に固定されていないが、固定されてもよい。
また、上記の実施形態では、排水ソケット支持具１Ａ〜１Ｃは、排水ソケット１２のオリフィス部１２１が落下することを防止するために使用されているが、オリフィス部１２１に限らず、排水ソケット１２の下部側の排水配管１３と接着されていない部分が落下することを防止するために使用されてもよい。
【符号の説明】
【００４３】
１Ａ〜１Ｃ  排水ソケット支持具
２  把持部
３Ａ〜３Ｃ  支持部
５  板材
６  筒状部
１１  便器
１２  排水ソケット
１３  排水配管
１５  床面
１２１  オリフィス部
【図１】
0006353392.tif 000002
【図２】
0006353392.tif 000003
【図３】
0006353392.tif 000004
【図４】
0006353392.tif 000005
【図５】
0006353392.tif 000006